(57)【特許請求の範囲】
【請求項１】
車両の天井面に元々備わっている純正照明に内蔵される光源と置換可能であり、少なくとも一つの電源分岐構造を備えた置換用ＬＥＤモジュールと、
前記車両の天井面に追加する追加用ＬＥＤモジュールと、
当該追加用ＬＥＤモジュールを収容するためのケーシングと、
前記電源分岐構造と前記追加用ＬＥＤモジュールとを接続する延長配線と、を備える
ことを特徴とする車両荷台照明増設キット。
【請求項２】
請求項１において、
前記ケーシングは、前記車両の天井面内張を固定しているクリップを取り外した穴を利用して前記天井面内張と共に固定する
ことを特徴とする車両荷台照明増設キット。
【請求項３】
請求項１または２において、
前記追加用ＬＥＤモジュールは、中心孔を備えたリング状に構成される
ことを特徴とする車両荷台照明増設キット。
【請求項４】
請求項１〜３のいずれかにおいて、
前記電源分岐構造への通電は、前記置換用ＬＥＤモジュールへの通電に連動している
ことを特徴とする車両荷台照明増設キット。
【請求項５】
請求項４において、
前記追加用ＬＥＤモジュール側にも、個別のＯＮ／ＯＦＦスイッチが備わっている
ことを特徴とする車両荷台照明増設キット。
【請求項６】
車両の天井面に元々備わっている純正照明に供給される電源線から少なくとも一つの電源分岐線を取り出すことが可能な電源分岐アタッチメント、
前記車両の天井面に追加する追加用ＬＥＤモジュールと、
当該追加用ＬＥＤモジュールを収容するためのケーシングと、
前記電源分岐アタッチメントと前記追加用ＬＥＤモジュールとを接続する延長配線と、を備える
ことを特徴とする車両荷台照明増設キット。
【発明の詳細な説明】
【技術分野】
【０００１】
本発明は、自動車の照明キットに関し、特にワンボックスカーの荷台用の照明を容易いに増設できるキットに関する。
【背景技術】
【０００２】
従来から、車両荷台の照明を明るくしたいという要望があり、ＤＩＹ等で様々な工夫がなされている現状がある。
【０００３】
最も簡単なところでは、車両の天井に元々備わっている純正照明１０（図５参照）の光源（電球バルブ等）をより明るいものに交換するというものであるが、それのみで荷台全体を明るく照らす事は難しく、細かな作業をしたいような場合には必ずしも十分なものではない。なお、図５における符号１２は、天井面内張（ルーフライニング）を固定しているクリップである。
【０００４】
そこで、非特許文献１でも示されているように、車内の天井面や壁面に照明を追加するといった工夫をする者もいる。
【先行技術文献】
【非特許文献】
【０００５】
【非特許文献１】ＣＯＣＫＰＩＴ  ５５  店長アサコのブログ「ハイエースの荷台を明るく」のページ  https://www.cockpit.co.jp/shop/55/diary/32615/
【発明の概要】
【発明が解決しようとする課題】
【０００６】
しかしながら、非特許文献１に記載の方法では、天井面や壁面に大きな穴を開ける等の加工が必要であるが、加工自体決して容易ではなく誰でもできるものではない。更に、車両に大きな穴開け等を行うと、その車両を売却等する際に非常に不利となってしまう。
【０００７】
また、非特許文献１のような追加照明の場合、個々のスイッチをそれぞれＯＮ／ＯＦＦする必要があり、荷台全体を纏めて明るくしたい場合に操作が煩雑である。
【０００８】
そこで本発明は、こういった問題点を解決するべくなされたものであって、最小限の加工で容易に取付けでき、車両に元々備わっている純正照明のスイッチを操作するだけで追加照明全体を纏めてコントロールできる車両荷台照明増設キットを提供する事をその課題としている。
【課題を解決するための手段】
【０００９】
上記課題を解決するべく、本願発明は、車両の天井面に元々備わっている純正照明に内蔵される光源と置換可能であり、少なくとも一つの電源分岐構造を備えた置換用ＬＥＤモジュールと、前記車両の天井面に追加する追加用ＬＥＤモジュールと、当該追加用ＬＥＤモジュールを収容するためのケーシングと、前記電源分岐構造と前記追加用ＬＥＤモジュールとを接続する延長配線と、を備える。
【００１０】
即ち、天井面に備わる純正照明の光源とそのまま交換できるＬＥＤチップから電源線を分岐させ、その分岐した電源を利用する追加用ＬＥＤモジュールを車両荷台の天井面に追加できるパッケージである。好みや必要に応じて追加用ＬＥＤモジュールの数や場所は調整可能であり、汎用性が高い。なお、分岐構造を備えた置換用ＬＥＤモジュールではなく、既存の光源の電源線から分岐線を取り出すための電源分岐アタッチメントで代用することも場合によっては可能である。
【００１１】
また、前記ケーシングは、前記車両の天井面内張を固定しているクリップを取り外した穴を利用して前記天井面内張と共に固定することを特徴とする。
【００１２】
このような構成を採用したことによって、ケーシングを固定するために天井面を穴開け加工する必要がない。もちろん場合によっては、追加用ＬＥＤモジュールの配線もこの穴を利用して天井面裏側に通す様な構成を採用してもよい。
【００１３】
また、前記追加用ＬＥＤモジュールは、中心孔を備えたリング状に構成されることを特徴とする。
【００１４】
このような構成を採用したことによって、広い範囲を照らし易くなると共に、当該中心孔の部分を利用してケーシングを安定的にバランス良く固定することができる。
【００１５】
また、前記電源分岐構造への通電は、前記置換用ＬＥＤモジュールへの通電に連動していることを特徴とする。
【００１６】
このような構成を採用したことによって、車両に元々備わる純正照明のスイッチを操作するだけで、追加用ＬＥＤモジュールを含めた全体のコントロールが可能となる。
【００１７】
また、前記追加用ＬＥＤモジュール側にも、個別のＯＮ／ＯＦＦスイッチが備わっていてもよい。
【００１８】
このような構成を採用すれば、より好みに応じた照明コントロール（一部分だけ明るくしたい等）が可能となる。
【発明の効果】
【００１９】
本発明を適用することで、最小限の加工で容易に取付けでき、車両に元々備わっている純正照明のスイッチを操作するだけで追加照明全体を纏めてコントロールできる車両荷台照明増設キットを提供することができる。
【図面の簡単な説明】
【００２０】
【図１】本発明の実施形態の一例である車両荷台照明増設キットの概略構成図である。
【図２】車両に備わる純正照明の光源を、本発明を構成する置換用ＬＥＤモジュールに置き換えた状態の一例を示した図である。
【図３】追加用ＬＥＤモジュールの天井面への取り付け例を示した分解図である。
【図４】本発明の実施形態の一例である車両荷台照明増設キットを取り付けた状態の一例を示した車両全体の概略構成図である。
【図５】一般的なワンボックスカーの荷台と純正照明の位置関係を示した概略図である。
【発明を実施するための形態】
【００２１】
以下、添付図面を参照しつつ、本発明の実施形態の一例であるに車両荷台照明増設キット１００ついて説明を加える。なお、図面理解容易の為、各部の大きさや寸法を誇張して表現している部分があり、実際の製品と必ずしも一致しない部分があることを付記しておく。また各図面は符号の向きに見るものとし、当該向きを基本に上下左右、手前、奥と表現する。
【００２２】
〈車両荷台照明増設キットの構成〉
車両荷台照明増設キット１００は、置換用ＬＥＤモジュール１１０と、少なくとも１本の延長配線１２０と、追加用ＬＥＤモジュール１３０と、当該追加用ＬＥＤモジュールを収納するためのケーシング１４０とを有してなる。
【００２３】
置換用ＬＥＤモジュール１１０は、車両の天井面に元々備わっている純正照明に内蔵される光源とそのまま置換できる大きさ形状に構成される。また、当該モジュール１１０に搭載されるＬＥＤ１１２の出力は、純正装着されているものよりも大きく荷台を明るく照らすことが可能である。
【００２４】
また、置換用ＬＥＤモジュール１１０からは、少なくとも１本（図１においては２本の例として示している）の電源分岐線（電源分岐構造）１１６が延在しており、その先端にコネクタ１１８が備わっている。
【００２５】
延長配線１２０は、両端にコネクタ１２２、１２４を備えている。これらコネクタは、置換用ＬＥＤモジュール１１０側のコネクタ１１８と、追加用ＬＥＤモジュール１３０側のコネクタ１３６とを繋いで、置換用ＬＥＤモジュール１１０から追加用ＬＥＤモジュール１３０へと電力を供給するための配線である。
【００２６】
追加用ＬＥＤモジュール１３０は、本実施形態においては中心孔１３３を有する所謂円形のリング状に構成され、複数のＬＥＤ１３２が備わっている。また、前述した延長配線１２０と接続するためのコネクタ１３６が、コード１３４の先端に備わっている。なお、本実施形態では円形のリング形状に構成されているが、この形状のみに限定されるものではないことを念のために付記しておく。
【００２７】
ケーシング１４０は、追加用ＬＥＤモジュール１３０を収容できるサイズの円形・扁平な形状に構成される。ケーシング１４０は、基台部１４２とカバー１４４で構成され（図３参照）、カバー１４４は基台部１４２に対して着脱可能となっている。この中に追加用ＬＥＤモジュール１３０が収容される。
【００２８】
ケーシング１４０は、車両の天井面内張を固定しているクリップ１２を取り外した穴４を利用して天井面内張と共に固定される。即ち、基台部１４２に形成される中心孔を利用して、固定ピン１４３によって固定される。なお、固定ピン１４３はケーシングを強固に固定できる限りにおいて種々のものが利用可能であり、図３に示したようなネジ様の構造物に限られるものではない。
【００２９】
〈車両荷台照明増設キットの取り付け手順〉
車両荷台照明増設キット１００は、例えば次のような手順で取り付ける。
【００３０】
最初に、図２に示しているように、車両に元々備わっている純正照明１０のカバーを外し、装着されている光源を取り外し、その代わりに置換用ＬＥＤモジュールを取り付ける。電源分岐線１１６とコネクタは隙間から純正照明１０の裏側に回す。この時、追加用ＬＥＤモジュール１３０の設置場所に応じた長さの延長配線１２０を接続しておいてもよい。
【００３１】
続いて、追加用ＬＥＤモジュール１３０を取り付ける場所を決定し、その部分のクリップ１２（天井内張りを固定しているクリップ）を取り外す。図３に示しているように、クリップを取り外すと、天井面３には穴４が露出するので、その穴を利用して基台部１４２を固定部材１４３によって固定する。追加用ＬＥＤモジュール１３０は、基台部１４２に取り付け、コード１３４は例えば基台部１４２の中心孔を利用して基台部１４２の裏面側に引き込めばよい（もちろん中心孔を利用しなくてもよい）。追加用ＬＥＤモジュール１３０のコード１３４やコネクタ１３６は、天井面３の穴４を利用して天井面内張の裏側に回しても良いし、天井面内張に小さな穴を開けそこから通すようにしてもよい。最後に延長配線と接続し、カバー１４４を取り付ける。
【００３２】
追加用ＬＥＤモジュール１３０及びケーシング１４０は、必要な数だけ好みの位置に装着すればよい。図４では３箇所追加設置した例として示している。
【００３３】
上記説明した通り、本願発明の実施形態の一例として示した車両荷台照明増設キット１００は、車両の天井面に元々備わっている純正照明１０に内蔵される光源と置換可能であり、少なくとも一つの電源分岐線１１６を備えた置換用ＬＥＤモジュール１１０と、車両の天井面に追加する追加用ＬＥＤモジュール１３０と、当該追加用ＬＥＤモジュール１３０を収容するためのケーシング１４０と、電源分岐線１１６と追加用ＬＥＤモジュール１３０とを接続する延長配線１２０と、を備えて構成される。
【００３４】
即ち、車両の天井面に元々備わる純正照明１０の光源とそのまま交換できる置換用ＬＥＤモジュール１１０を利用して電源線を分岐させ、その分岐した電源を利用する追加用ＬＥＤモジュール１３０を車両荷台の天井面に追加できるパッケージである。好みや必要に応じて追加用ＬＥＤモジュール１３０の数や場所は調整可能であり、汎用性が高い。
【００３５】
また、追加用ＬＥＤモジュール１３０を収容するケーシング１４０は、車両の天井面内張を固定しているクリップ１２を取り外した穴４を利用して天井面内張と共に固定することを特徴としている。
【００３６】
このような構成を採用したことによって、ケーシング１４０を固定するために天井面を穴開け加工する必要がない。もちろん場合によっては、追加用ＬＥＤモジュール１３０の配線（コード１３４やコネクタ１３６）もこの穴４を利用して天井面裏側に通す様な構成を採用してもよい。
【００３７】
また、前記追加用ＬＥＤモジュール１３０は、中心孔１３３を備えたリング状に構成されていた。このような構成を採用したことによって、広い範囲を照らし易くなると共に、当該中心孔１３３の部分を利用してケーシング１４０をバランス良く固定することができる。
【００３８】
また、置換用ＬＥＤモジュール１１０においては、電源分岐線１１６への通電は、前記置換用ＬＥＤモジュール１１０への通電に連動する構成とされている。このような構成を採用したことによって、車両に元々備わる純正照明１０のスイッチを操作するだけで、追加用ＬＥＤモジュール１３０を含めた全体のコントロールが可能となる。
【００３９】
また、前記追加用ＬＥＤモジュール１３０側にも、個別のＯＮ／ＯＦＦスイッチが備わっていてもよい。このような構成を採用すれば、より好みに応じた照明コントロール（一部分だけ明るくしたい等）が可能となる。
【符号の説明】
【００４０】
１・・・車両
２・・・荷台
１０・・純正照明
１２・・・クリップ
１００・・・車両荷台照明増設キット
１１０・・・置換用ＬＥＤモジュール
１１２・・・ＬＥＤ
１１４・・・端子
１１６・・・電源分岐線
１１８・・・コネクタ
１２０・・・延長配線
１２２、１２４・・・コネクタ
１３０・・・追加用ＬＥＤモジュール
１３２・・・ＬＥＤ
１３３・・・中心孔
１４０・・・ケーシング
１４２・・・基台部
１４３・・・固定ピン
１４４・・・カバー
【要約】
【課題】
最小限の加工で容易に取付けでき、車両に元々備わっている純正照明のスイッチを操作するだけで追加照明全体を纏めてコントロールできる車両荷台照明増設キットを提供する。
【解決手段】
車両の天井面に元々備わっている純正照明１０に内蔵される光源と置換可能であり、少なくとも一つの電源分岐線１１６を備えた置換用ＬＥＤモジュール１１０と、車両の天井面に追加する追加用ＬＥＤモジュール１３０と、当該追加用ＬＥＤモジュール１３０を収容するためのケーシング１４０と、電源分岐線１１６と追加用ＬＥＤモジュール１３０とを接続する延長配線１２０と、を備え、ケーシング１４０は、車両の天井面内張を固定しているクリップ１２を取り外した穴４を利用して天井面内張と共に固定ピン１４３で固定できる構造とする。
【選択図】図１【図１】
0006675702.tif 000002
【図２】
0006675702.tif 000003
【図３】
0006675702.tif 000004
【図４】
0006675702.tif 000005
【図５】
0006675702.tif 000006